(57)【要約】
【課題】水栓の吐水管に取り付けるだけで浄水器に接続することができる浄水器接続具を提供する。
【解決手段】水栓５の吐水管６に接続するとともに、吐水管６との接続部と反対側に吐水ヘッド８を接続し、浄水器と水栓とを接続する接続具であって、吐水管６に連通して内部に吐水管６からの原水が流れる原水通水路１２が形成された筒状の接続具本体４に、原水通水路１２に連通し浄水器へ原水を供給する原水供給ホースに接続される原水供給パイプ１３、および浄水器の浄水流出ホースに接続される浄水供給パイプ１５がそれぞれ設けられ、浄水供給パイプ１５は接続具本体４の軸心に沿って原水通水路１２から独立して設けられた浄水通水路１４に連通している。
【選択図】図２
0003100830.tif 000002
【実用新案登録請求の範囲】
【請求項１】
水栓の吐水管に接続するとともに、前記吐水管との接続部と反対側に吐水ヘッドを接続して浄水器と水栓とを接続する浄水器接続具であって、前記吐水管に連通して内部に前記吐水管からの原水が流れる原水通水路が形成された筒状の接続具本体に、前記原水通水路に連通し前記浄水器へ原水を供給する原水供給ホースに接続される原水供給パイプ、および前記浄水器の浄水流出ホースに接続される浄水供給パイプがそれぞれ設けられ、前記浄水供給パイプは前記接続具本体の軸心に沿って前記原水通水路から独立して設けられた浄水通水路に連通していることを特徴とする浄水器接続具。
【請求項２】
原水供給パイプあるいは浄水供給パイプのいずれか一方に、原水あるいは浄水を切り換える開閉弁を取り付けたことを特徴とする請求項１記載の浄水器接続具。
【請求項３】
回転により原水水路又は浄水通水路のいずれか一方を塞いで原水あるいは浄水を切り換える遮蔽板を配置したことを特徴とする請求項１記載の浄水器接続具。
【考案の詳細な説明】
【技術分野】
【０００１】
本考案は、水道水を浄化する浄水器を水栓の吐水管に接続するための浄水器接続具に関する。
【背景技術】
【０００２】
水道水を浄水する浄水器を水栓に接続し、水道水あるいは浄水を吐水する水栓が使用されている。浄水器には、吐水管の蛇口に直接取り付ける形式のものと、浄水器を別置にして浄化した浄水を水栓に供給する形式のものがある。
【０００３】
例えば、特許文献１に記載された水栓では、回転バルブの回転操作により水道水を直接供給口又はシャワー穴より吐水する、あるいは活性炭などの浄化剤を充填した浄化剤のカートリッジを通して浄化した後に供給口あるいはシャワー穴から吐水するように構成されている。
【０００４】
また、特許文献２には、流し台の天板部に固設された水栓のボディから吐水口部から引き出し可能となっているシャワー機能付き混合水栓に対し、水道水の給水元栓から混合水栓の吐水口部にまで延びる水通路の途中で、且つ水通路を開閉する水栓用バルブをボディ内に収納した混合水栓よりも下方位置に、水通路の水栓用バルブよりも上流側から分岐して下流側に合流するバイパス通路を形成するとともに、バイパス通路の途中に水道水をろ過するための浄水器とバイパス通路を開閉するための浄水用バルブをそれぞれ設置したシャワー機能付き混合水栓と浄水器の接続構造が記載されている。
【特許文献１】特開平８−２６７０５５号公報
【特許文献２】特開平１０−３０９５６５号公報
【考案の開示】
【考案が解決しようとする課題】
【０００５】
引用文献１の浄水器を吐水管の蛇口に直接取り付ける形式はコンパクトではあるが、浄化剤を充填したカートリッジが小型であるため、カートリッジの寿命が短く、カートリッジ寿命が長い別置式浄水器に比べてカートリッジを頻繁に交換しなくてはならないという欠点がある。
【０００６】
また、引用文献２の浄水器を別置するものは、浄化剤のカートリッジ交換時期は長いが、バイパス配管、操作スイッチ、分岐部などを設ける必要があり配管の接続が複雑になるという問題がある。
【０００７】
そこで、本考案は、水栓の吐水管に取り付けるだけで水栓に浄水器を接続することができる浄水器接続具を提供するものである。
【課題を解決するための手段】
【０００８】
本考案は、水栓の吐水管に接続するとともに、前記吐水管との接続部と反対側に吐水ヘッドを接続して浄水器と水栓とを接続する浄水器接続具であって、前記吐水管に連通して内部に前記吐水管からの原水が流れる原水通水路が形成された筒状の接続具本体に、前記原水通水路に連通し前記浄水器へ原水を供給する原水供給ホースに接続される原水供給パイプ、および前記浄水器の浄水流出ホースに接続される浄水供給パイプがそれぞれ設けられ、前記浄水供給パイプは前記接続具本体の軸心に沿って前記原水通水路から独立して設けられた浄水通水路に連通していることを特徴とする。
【考案の効果】
【０００９】
本考案は、バイパス配管、操作スイッチ、分岐部などを設けることなく、浄水器接続具を吐水管に接続するだけで簡単に別置式の浄水器に接続することができる。
【００１０】
また、本考案では浄化剤のカートリッジ交換時期が長い別置式の浄水器を接続するので、カートリッジ交換時期を大幅に延ばすことができ、カートリッジを頻繁に交換する必要がなくなる。
【考案を実施するための最良の形態】
【００１１】
本考案の実施例を図面を参照して説明する。
【実施例】
【００１２】
図１は本考案の浄水器接続具により水栓と浄水器を接続した状態を示す斜視図、図２は本考案の吐水管と浄水器接続具と吐水ヘッドの接続関係を示す分解斜視図、図３（ａ）は本考案の浄水器接続具の浄水供給パイプを通る断面図、（ｂ）は浄水供給パイプ及び原水供給パイプを通る断面図である。
【００１３】
図１において、浄水器１と原水供給ホース２、浄水流出ホース３により接続される浄水器接続具４は、キッチンのシンク近くに設けられた水栓５の吐水管６に接続し、吐水管６の接続部と反対側に吐水ヘッド８を接続して一体化する。
【００１４】
なお、図２に示すように、水栓５には、水道水配管５ａから水道水が供給され、湯供給配管５ｂから湯が供給され、水栓５に一般に普及している水道水と湯とを供給する混合水栓を利用して、ハンドル７を回転させて水道水、湯あるいは所定の温度となるように混合された混合水（以下これらを総称して「原水」という。）を利用することができる。
【００１５】
浄水する場合は、原水が浄水器接続具４に接続された原水供給ホース２から浄水器１に供給されて浄化され、浄水流出ホース３から浄水が吐水管６に戻されて吐出ヘッド８から吐出される。
【００１６】
また、吐出ヘッド８には、一般に使用されている、シャワー吐水口及び原水ストレート吐水口を備えた吐出ヘッドを使用して、切換によりシャワーあるいはストレートのいずれかを吐水させるものを使用することができる。
【００１７】
図２において、筒状の接続具本体４ａの両側にはネジ９が刻まれ、吐水管６と吐水ヘッド８にそれぞれ刻まれたネジ１０，１１と螺合して接続される。接続具本体４ａの内部は吐水管６に連通しており、吐水管６からの原水が吐水ヘッド８に向けて流れる原水通水路１２が形成される。
【００１８】
図２，図３において、接続具本体４ａの外側から内側に貫通させて原水通水路１２に連通する原水供給パイプ１３がねじ込まれて固定されている。原水供給パイプ１３は浄水器１の原水供給ホース２に接続される。
【００１９】
また、接続具本体４ａの軸心に沿った中央には、原水通水路１２から独立して浄水通水路１４がパイプで形成され、接続具本体４ａの外側から内側に貫通する浄水供給パイプ１５と連通している。浄水供給パイプ１５は浄水器１の浄水流出ホース３と接続されている。
【００２０】
このように形成された通水経路により、吐水管６に流入した原水は、浄水器接続具４の原水通水路１２から原水供給パイプ１３とこれに接続された原水供給ホース２を通って浄水器１に導入され、浄水器１で浄化された浄水は浄水器１の浄水流出ホース３とこれに接続された浄水供給パイプ１５を通り、浄水供給パイプ１５に連通する浄水器接続具４の内部の浄水通水路１４に供給される。
【００２１】
選択された原水あるいは浄水を個別に吐水ヘッド８から吐水させるために、原水を吐水させる場合は、吐水ヘッド８で原水通水路１２を開け、浄水通水路１４を閉めることにより原水供給パイプ１３への原水の供給を阻止し、浄水通水路１４の回りの原水通水路１２を原水が流れて吐水ヘッド８へ向かうようにする。
【００２２】
一方、浄水を吐水させる場合は、吐水ヘッド８で原水通水路１２を閉じ、浄水通水路１４を開けて原水の吐水ヘッド８への流入を阻止し、原水を原水供給パイプ１３から原水供給ホース２により浄水器１に導入し、浄水を浄水流出ホース３とこれに接続された浄水供給パイプ１５を通して浄水通水路１４に供給して吐水ヘッド８から吐水させる。原水と浄水の切換は、吐水ヘッド８に外部からボタン１６などで操作できる浄水通水路及び原水通水路の開閉機構を設けた公知の吐水ヘッドを使用することができる。
【００２３】
図４は浄水通水路及び原水通水路の開閉機構の一例を示す図である。図４において、接続具本体４内に形成された原水通水路１２又は浄水通水路１４を塞ぐ遮蔽板１７設け、接続具本体４の外側からレバー１８により遮蔽板１７を回転させて原水水路１２又は浄水通水路１４のいずれか一方を塞いで原水あるいは浄水を切り換えるようにしてもよい。
【００２４】
また、吐水ヘッド８あるいは接続具本体４ａに原水と浄水の切換機構がない場合は、原水あるいは浄水の切り換えは、原水供給パイプ１３あるいは浄水供給パイプ１５のいずれか一方に開閉弁を取り付け、開閉弁を閉めて原水通水路１２から原水が浄水器へ供給されないようにするか、あるいは浄水が浄水通水路１４に流入しないようにすることによってもできる。
【産業上の利用可能性】
【００２５】
本考案は、浄水器と水栓の接続に利用できる。
【図面の簡単な説明】
【００２６】
【図１】本考案の浄水器接続具により水栓と浄水器を接続した状態を示す斜視図である。
【図２】本考案の吐水管と浄水器接続具と吐水ヘッドの接続関係を示す分解斜視図である。
【図３】（ａ）本考案の浄水器接続具の浄水供給パイプを通る断面図、（ｂ）は浄水供給パイプ及び原水供給パイプを通る断面図である。
【図４】浄水通水路及び原水通水路の開閉機構の一例を示す図である
【符号の説明】
【００２７】
１：浄水器
２：原水供給ホース
３：浄水流出ホース
４：浄水器接続具
４ａ：接続具本体
５：水栓
６：吐水管
７：ハンドル
８：吐水ヘッド
９：ネジ
１０：ネジ
１１：ネジ
１２：原水通水路
１３：原水供給パイプ
１４：浄水通水路
１５：浄水供給パイプ
１６：ボタン
１７：遮蔽板
１８：レバー
【図１】
0003100830.tif 000003
【図２】
0003100830.tif 000004
【図３】
0003100830.tif 000005
【図４】
0003100830.tif 000006